(57)【要約】【課題】  太陽光に曝された天幕の下での著しい温度上昇を防ぐために、公知の衛生上の問題をもたらすことのない、閉ループ温度制御循環システムに基づく温度制御ユニットを備えた天幕布をもたらすことである。【解決手段】  天幕布（５）と、天幕布（５）の下部、上部、又は内部に配置された閉ループ温度制御循環システムに基づく温度制御ユニット（６）とを備えて構成される、温度制御可能な天幕装置によって解決される。【選択図】  図１
2010024823.tif 000002
【特許請求の範囲】
【請求項１】
天幕布（５）を備えて構成される温度制御可能な天幕装置において、
天幕布（５）に配置された閉ループ温度制御循環システムに基づく温度制御ユニット（６）によって特徴づけられる、装置。
【請求項２】
温度制御ユニット（６）が、天幕布（５）の下部、上部、又は内部に配置されることを特徴とする、請求項１に記載の天幕装置。
【請求項３】
温度制御ユニット（６）が、
多数の温度制御レジスタライン（１３）によって互いに接続された、
少なくとも一つの温度制御流体供給ライン（９）と、
少なくとも一つの温度制御流体戻りライン（１１）とを備えて構成されることを特徴とする、請求項１又は２に記載の天幕装置。
【請求項４】
温度制御レジスタライン（１３）が天幕布（５）を支持することを特徴とする、請求項３に記載の天幕装置。
【請求項５】
温度制御流体供給ライン（９）と温度制御流体戻りライン（１１）とが、天幕装置のドロップアウト平行側面上で互いに平行に延在し、且つ、それに対して水平方向に並び且つそれに対して垂直である複数のレジスタライン（１３）によって互いに接続されることを特徴とする、請求項４に記載の天幕装置。
【請求項６】
収縮した休止位置と拡張した作動位置との間を移動可能であって、且つ、折りたたみドアのように互いに統合された、温度制御体（７．１〜７．７）を、天幕布（５）を有する温度制御ユニット（６）が備えることを特徴とする、請求項１〜５のいずれか一項に記載の天幕装置。
【請求項７】
ドロップアウト平行側面上において、温度制御体（７．１〜７．７）が、温度制御流体供給ライン（９）及び温度制御流体戻りライン（１１）のガイド部（８、１０）によって形成され、当該ガイド部（８、１０）は各々接合継手（１２）によって互いに接続されることを特徴とする、請求項６に記載の天幕装置。
【請求項８】
天幕布（５）が温度制御ユニット（６）と共に拡張可能且つ収縮可能であることを特徴とする、請求項１〜７のいずれか一項に記載の天幕装置。
【請求項９】
天幕布（５）が庇の布屋根を形成する庇のように構成されることを特徴とする、請求項８に記載の天幕装置。
【請求項１０】
庇様天幕装置が支持ロープ（４）によって吊り下げられることを特徴とする、請求項９に記載の天幕装置。
【請求項１１】
温度制御ユニット（６）を有する天幕布（５）が、水平に伸びた支持ロープ（４）上において、収縮及び拡張可能となるように変位可能に取り付けられることを特徴とする、請求項１０に記載の天幕装置。
【発明の詳細な説明】
【技術分野】
【０００１】
本発明は、天幕布を備えて構成される温度制御可能な天幕装置に関連している。
【背景技術】
【０００２】
天幕は従来、布軸と、巻くことが可能であって且つ前記布軸から拡張することが可能な天幕布と、天幕布の前端にドロップアウト棒とを備えて構成される。接合アーム天蓋内では、接合アームが、それに付随する壁ホルダーとドロップアウト棒との間に配置され、当該接合アームは天幕布が広げられるのを可能にする。
【０００３】
その上、他の種類の天幕は、ドロップアウト棒が例えば側面にあるガイド路内を変位可能に駆動されることで知られている。
【０００４】
拡張可能な天幕の典型的な問題は、強い太陽光に曝された場合に天幕の下で著しく暑いよどんだ空気の領域が作られ得ることであって、特に天幕表面が発する不快に高い温度と相まって、当該天幕の下に立っている又は座っている人にしばしば不快なものと思われている。
【０００５】
この問題は、先行技術において補足的な空気調整（エアコンディショニング）装置を有する天幕を設けることによって防がれた。比較的複雑な熱保護装置が特許文献１に開示されており、複数の日除けストリップが、上下に配置された二つの面内で互いに対して互い違いになるようにして設けられた。複数のストリップの、互い違いの配置は、二つのストリップ間で熱せられた空気が上方に逃れることができる一方で、熱保護装置の下に位置する表面で成る連続した日除けを確保し、こうして熱の蓄積を防ぐ。この先行技術によると、それはストリップを湿らせることのできる水ガイド細管布で作られたストリップを同時に予定している。蒸発による温度低下の結果、一定の空気調整効果が得られる。
【０００６】
この種類の熱保護装置の不利益は、天幕のような装置を引っ込めたり広げたりすることを不可能にする、著しく複雑なデザインである。
【０００７】
液の蒸発によって冷却するための織地構造体が特許文献２中に開示されており、次に蒸発することの可能な、構造体への制御された液の供給を確保するために構造体中に液管が組み入れられている。この種類の織地構造体は、おそらく天幕内の備品にはむしろ困難である。
【０００８】
日除け又は天幕が、それぞれ特許文献３と特許文献４に開示されており、それぞれの場合、蒸発による温度低下を成し遂げるための噴霧ノズルによって湿らし得る。
【０００９】
一般的な意見及び実験が、太陽光に曝された天幕の下での著しい温度上昇を防ぐためには、天幕布自身の温度低下で十分であり、それによって、公知の衛生上の問題を結果としてもたらす周囲環境内への水の蒸発における遊離湿気は必要とされないことを示してきた。
【先行技術文献】
【特許文献】
【００１０】
【特許文献１】DE 199 04 681 A1
【特許文献２】WO 2006/079234 A2
【特許文献３】US 2,727,366 A
【特許文献４】DE 299 13 873 U1
【発明の概要】
【発明が解決しようとする課題】
【００１１】
この概念を実施するために、本発明に係る請求項１の特徴構成に従って、閉ループ温度制御循環システムに基づく温度制御ユニットを備えた天幕布をもたらすことを目的としている。
【課題を解決するための手段】
【００１２】
前記温度制御ユニットによって、天幕布の温度が低いレベルに維持され、それによって天幕の下にいる人を冷やすことができる放射用の熱交換器を結果としてもたらすような方法で、天幕布から熱を消散することができる。
【００１３】
前記温度制御ユニットには、有利には温度制御流体供給ラインと、それに付随する温度制御流体戻りラインとが備えられ、それらは天幕布を支持し得る多数の温度制御レジスタ（位置合せ）ラインによって互いに接続される。前記温度制御ユニットの構造的な詳細と、天幕布に対するとの配置は従属請求項中に述べられている。その特徴、詳細及び利点は、添付の図面によって確保している実施形態の記載から明らかとなろう。
【図面の簡単な説明】
【００１４】
【図１】温度制御可能な、庇様天幕装置の側面図である。
【図２】天幕装置の温度制御ユニットの斜視断面図である。
【図３】天幕装置自体の斜視断面図である。
【発明を実施するための形態】
【００１５】
従来の接合アーム天幕とは対照的に、図面に示した天幕装置は、空気調整された庇天幕１として設計され、その一方の端部は、取付金具２によって壁３に据えつけられる。この取付金具２の二つの端部には各々水平方向に延在する支持ロープ４が備えられ、図示していない支持ロープ４の二つの端部は、それとは反対側にある、それに付随するスタンド又は壁に固定される。支持ロープ４は、図２及び図３中にその構成が図示されている、庇天幕１用支持要素として用いられる。
【００１６】
このようにして庇天幕１の実際の日除け要素は、その下部に置かれた温度制御ユニット６によって支持されている天幕布５によって通常の方法で形成される。前記温度制御ユニット６は、衛生装置の分野から公知の梯子様タオル乾燥放熱器のように各々設計された、個々の温度制御体７．１〜７．７でできている。同様に、ドロップアウト方向Ａを向いている庇天幕１の片側（一方の側面）に置かれた温度制御体７．１〜７．７の複数のドロップアウト平行側面は、温度制御流体供給ライン９を形成するために組み合わせられた各ガイド部８によって形成される。ドロップアウト方向Ａを向いている庇天幕１の反対側の長軸側面上には、それに付随する、温度制御流体戻りライン１１を形成するために組み合わせられた温度制御体７．１〜７．７のガイド部１０が配置される。接合継手１２として構成された継ぎ目（統合）点において、ガイド部８、１０は、各々互いに機械的に統合され、且つ柔軟なホース部によって流体連通される。
【００１７】
各々向かい合わせに配置された、温度制御体７．１〜７．７のガイド部８、１０の間には、水平方向に互いに一定の距離をおいて、且つドロップアウト方向Ａとは垂直に延在するレジスタライン１３が設けられ、当該レジスタライン１３は、温度制御流体供給ライン９から温度制御流体戻りライン１１まで、温度制御流体をガイドする。
【００１８】
図３によって図示されるように、天幕布５は、これらレジスタライン１３の上部に置かれる。冷却液が、温度制御流体供給ライン９によって液体を導入することにより温度制御ユニット６を通ってガイドされると、次にその液体は、レジスタライン１３によって天幕布５を渡って均一に分配され、例えば戻りライン１１によって冷却装置まで戻る。天幕布５の温度は著しく低下する。
【００１９】
図１によって図示されるように、折りたたみドアのように互いに統合された、庇天幕１の温度制御体７．１〜７．４は、上方を向いている接合継手１２と係合している短いクロスサポート１４によって支持ロープ４から各々吊り下げられる。当該クロスサポート１４は、支持ロープ４上を変位可能にガイドされ、温度制御体７．１〜７．４を天幕布５と共に折りたたむことによって、引っ込んだ（収縮した）休止位置（図示せず）まで庇天幕１が動くことを可能にする。
【００２０】
特定の領域を単に覆うためには、庇天幕１の先頭の温度制御体７．７をドロップアウト方向Ａに動かして天幕１が広げられ、それによって天幕布５下の領域が陰にされることで十分である。
【００２１】
著しく強い太陽光の場合には、温度制御ユニット６は、それに付随する温度制御流体を、温度制御体７．１〜７．７を通って上記のように循環させることによって作動され得る。
【図１】
2010024823.tif 000003
【図２】
2010024823.tif 000004
【図３】
2010024823.tif 000005